(57)【特許請求の範囲】
【請求項１】
複数のコンタクト（２７）の接触部（２７ａ）を、接続部（２１）上に配設する絶縁ハウジング（２）と、
相手コネクタ（５０）が挿入される挿入孔（３１）が形成され、絶縁ハウジング（２）に取り付けられるアースシェル（３）と、
挿入孔（３１）の開口に臨む前進位置と、複数のコンタクト（２７）の接触部（２７ａ）を露出させる後退位置の間で、前後方向に進退自在となるように、接続部（２１）とアースシェル（３）の間に配設されたシャッター（４）と、
シャッター（４）を、前方へ付勢するトーションバネ（５）とを備え、
挿入孔（３１）に挿入される相手コネクタ（５０）により、シャッター（４）を後退位置へスライドさせ、複数のコンタクト（２７）の接触部（２７ａ）を相手コネクタ（５０）のコンタクト（５３）へ接触させるシャッター付きコネクタであって、
アースシェル（３）は、前後方向と直交する幅方向のほぼ中央に、外方に向けて突設された係合部（３２）と、係合部（３２）の幅方向の両側に、前後方向を長手方向として穿設された一対のガイド溝（３５）とを有し、
シャッター（４）は、一対のガイド溝（３５）にそれぞれ挿通し、ガイド溝（３５）により進退方向に案内される一対のガイド耳片（４１）を有し、
中間部（５ａ）をアースシェル（３）の係合部（３２）へ係合させたトーションバネ（５）の両端（５ｃ）を、ガイド溝（３５）から外方に突出する一対のガイド耳片（４１）の連結孔（４２）に挿通して、
シャッター（４）を前方へ付勢するトーションバネ（５）をアースシェル（３）の外方から取り付けるとともに、ガイド溝（３５）により前後方向に進退自在に案内されるシャッター（４）を抜け止めすることを特徴とするシャッター付きコネクタ。
【請求項２】
ガイド溝（３５）の前端（３５ａ）にガイド耳片（４１）が当接する位置で、シャッター（４）が前進位置に位置決めされることを特徴とする請求項１記載のシャッター付きコネクタ。
【請求項３】
一対のガイド溝（３５）は、幅方向で対向するアースシェル（３）の両側面（３ｂ）上で、それぞれ後方が開放する形状に穿設され、ガイド溝（３５）の後方からガイド耳片（４１）を挿入させて、アースシェル（３）にシャッター（４）を組み込み自在であり、
絶縁ハウジング（２）は、アースシェル（３）に組み込まれたシャッター（４）の後方を覆い、アースシェル（３）に後方から係止する係止部（２５）を有することを特徴とする請求項１または２のいずれか１項に記載のシャッター付きコネクタ。
【請求項４】
トーションバネ（５）は、中間部（５ａ）を中心として幅方向で対称形状となるように屈曲された線材であり、中間部（５ａ）から一対のガイド耳片（４１）の連結孔（４２）までの距離がほぼ等しい距離であることを特徴とする請求項１乃至３のいずれか１項に記載のシャッター付きコネクタ。
【発明の詳細な説明】
【０００１】
【発明の属する技術分野】
本発明は、相手側コネクタとの非接続状態で、コンタクトの接触部を覆い保護するシャッターを備えたコネクタに関する。
【０００２】
【従来の技術】
相手コネクタと電気接続するために、接続部上に複数のコンタクトの接触部が配設されているコネクタでは、非接続状態において、露出するコンタクトの接触部に、異物が接触して変形したり、ショートすることがあり、これを防止するために、非接続状態でコンタクトの接触部を覆うシャッターを組み込んだコネクタが知られている。
【０００３】
このシャッターは、非接続状態で、相手コネクタが挿入される挿入孔の開口に臨み、コンタクトの接触部を覆うように設けられるが、相手コネクタが接続される際に、この接触部を露出させるために、相手コネクタに押されて開口から後退させる必要があり、進退移動自在となるようにコネクタに組み込まれる。
【０００４】
図６乃至図８は、このようなシャッターを備えた第１の従来のコネクタ１００を、図９及び図１０は、特開平９−６９３７５号公報に開示された第２の従来のコネクタ２００を示す。
【０００５】
第１の従来のコネクタ１００では、図６及び図７に示すように、シャッター１０１を絶縁ハウジング１０２の幅方向の左右両側に設けた一対のコイルバネ（圧縮バネ）１０３によって、相手コネクタ（図示省略）の方向に移動するように付勢する構造となっている。絶縁ハウジング１０２には、その両面に複数のコンタクト１０４が所定間隔で整列して配設されているとともに、相手コネクタ（図示せず）のアースコンタクトが接触するアースシェル１０５が相手コネクタの挿入側に設けられている。
【０００６】
シャッター１０１は図７に示すように、筒状に成形されており、コンタクト１０４の接触部１０４ａを覆うとともに、相手コネクタの挿入方向（図中上下方向）に沿って進退移動自在に絶縁ハウジング１０２に取り付けられている。左右一対のコイルバネ１０３は、絶縁ハウジング１０２に形成したボス部１０２ａに位置決めされた状態で、絶縁ハウジング１０２とシャッター１０１との間に圧縮して配置され、シャッター１０１を図中上方へ付勢している。なお、シャッター１０１は、金属板からなるシールド板１０６で覆われている。
【０００７】
このような構造では、相手コネクタの非接続状態で、シャッター１０１が抜けでないように、コイルバネ１０３の付勢力に抗してシャッター１０１を抜け止めする必要がある。このため、図８に示すように、アースシェル１０５の左右両端の内側に係止段部１０５ａを形成するとともに、シャッター１０１と一体のシールド１０６の係止段部１０５ａに対向する部位をＬ字に折り曲げてストッパ段部１０７を形成し、係止段部１０５ａに当接させることによりシャッター１０１の上方への抜け止めを行っている。
【０００８】
このコネクタでは、コイルバネ１０３を圧縮させた状態で、アースシェル１０５を覆うようにシャッター１０１をアースシェル１０５の先端側（上方）から押し込む。押し込み前は、シャッター１０１側のシールド板１０６にストッパ段部１０７が形成されておらず、シャッター１０１が係止段部１０５ａを通過した後に、治具を用いてシールド板１０６をＬ字に折り曲げてストッパ段部１０７を形成し、シャッター１０１の組み込みを行う。
【０００９】
第２の従来のコネクタ２００では、図９及び図１０に示すように、単一のトーションバネ（捻りバネ）２０１によってシャッター２０２を、相手コネクタの方向に付勢するものである。
【００１０】
絶縁ハウジング２０３は、後背板２０３ｃと一対の側板２０３ｄによるコの字状の枠部に囲まれた枡状に形成され、前方（図９において、右方）が、相手コネクタを挿入する挿入孔の開口２０７となっている。
【００１１】
シャッター２０２は、枡状の絶縁ハウジング２０３内に遊嵌する外形で、絶縁ハウジング２０３の底面上に配設されたコンタクトの接触部２０４を覆うように、断面Ｌ字状に成形されている。シャッター２０２は、直線状のガイド突起２０５を、底面の中央に有しており、相手コネクタの挿入方向（前後方向）に沿って絶縁ハウジング２０３の対向面上に形成された一対のガイドリブ２０６、２０６間に、ガイド突起２０５が案内されることにより、前後方向に進退自在となっている。
【００１２】
トーションバネ２０１は、円形に巻回された巻回部２０１ａの両側からアーム部２０１ｂ、２０１ｃが延びており、巻回部２０１ａを絶縁ハウジング２０３の底面隅に立設したボス部２０３ａに嵌め込み、一方のアーム部２０１ｂを絶縁ハウジング２０３の底面に形成した突起２０３ｂと絶縁ハウジング２０３の後背板２０３ｃとの間に挿入する一方、他方のアーム部２０１ｃをシャッター２０２のガイド突起２０５の後端に当接させることにより、シャッター２０２を前方へ付勢している。前方に付勢されるシャッター２０２は、側板２０３ｄの前端で開口２０７側に突出するストッパー部（図示せず）等の抜け止め手段に当接し、開口２０７を覆う前進位置に位置決めされる。
【００１３】
このコネクタでは、絶縁ハウジング２０３の前方から相手コネクタを挿入することにより、シャッター２０２が相手コネクタに押されて後方（左方）に移動する。この移動によって、トーションバネ２０１が破線のように撓むため、シャッター２０２を元の位置に復帰させるためのトルクが蓄積される。従って、相手コネクタを絶縁ハウジング２０３から外すと、シャッター２０２は前進位置に復帰し、コンタクトの接触部２０４を覆うため、これを保護することができる。
【００１４】
【発明が解決しようとする課題】
しかしながら、第１の従来のコネクタ１００では、相手コネクタが正規の挿入方向に対して斜めに挿入され、シャッター１の中心から外れた位置が押されても、その姿勢を保ち、相手コネクタが抜き出された後にコイルバネ１０３で復帰するように、幅方向の左右に一対のコイルバネ１０３、１０３が配置されるものであり、一対のコイルバネ１０３を配置するスペースを設けるために絶縁ハウジング１０２の幅が大きくなり、コネクタが大型化するとともに、部品点数が増加してコスト高の原因となっていた。
【００１５】
また、コイルバネ３を圧縮させた状態を保ちながら、シールド板１０６をＬ字に折り曲げてストッパ段部１０７を形成する必要があるため、組み立ての作業性が極めて悪いものとなっていた。
【００１６】
更に、シャッター１０１の抜け止めを行うストッパ段部１０７を折り曲げて形成するため、折曲位置によってシャッター１０１の停止位置が異なることとなるばかりか、係止段部１０５ａとの衝突を繰り返すことにより徐々に変形して停止位置が変化し、更に変形すると係止段部１０５ａに当接することなく、シャッター１０１が抜け出てしまう問題があった。
【００１７】
また、第２の従来のコネクタ２００では、一本のトーションバネ２０１を用い、しかもガイド突起２０５の後端の一カ所でシャッター２０２と連結するものであるため、シャッター２０２が前後方向に対して偏った方向に押し込まれると、シャッター２０２が正規の進退方向である前後方向に対して傾斜し、押し込みにくくなり、また、その姿勢のまま押し込みを解除して復帰させようとすると、傾斜したシャッター２０２が開口２０７近傍に形成されたストッパー部を乗り越え、抜け出てしまう問題があった。
【００１８】
このため、シャッター２０２を姿勢を傾斜させずに、前後方向に案内するため、ガイドリブ２０６とガイド突起２０５を形成する必要があり、構造が複雑となっている。
【００１９】
更に、一本のトーションバネ２０１であっても、一方のアーム部２０１ｂを絶縁ハウジング２０３の枠内に嵌め込み、圧縮させた状態で他方のアーム部２０１ｃを、抜けでないように絶縁ハウジング２０３に組み込んだシャッター２０２へ連結する必要があるため、組み立てが面倒なものとなっている。
【００２０】
本発明は、このような従来の問題点を考慮してなされたものであり、シャッターを絶縁ハウジングに進退自在で、かつ抜け出ることなく、簡単に組み込むことができ、組み立て容易なシャッター付きコネクタを提供することを目的とする。
【００２１】
また、シャッターを付勢するトーションバネを簡単に組み付けることができるシャッター付きコネクタを提供することを目的とする。
【００２２】
また、１本のトーションバネを用いるだけで、シャッターを傾斜させることなく進退自在に案内するシャッター付きコネクタを提供することを目的とする。
【００２３】
【課題を解決するための手段】
上記目的を達成するため、請求項１の発明のシャッター付きコネクタは、複数のコンタクトの接触部を、接続部上に配設する絶縁ハウジングと、相手コネクタが挿入される挿入孔が形成され、絶縁ハウジングに取り付けられるアースシェルと、挿入孔の開口に臨む前進位置と、複数のコンタクトの接触部を露出させる後退位置の間で、前後方向に進退自在となるように、接続部とアースシェルの間に配設されたシャッターと、シャッターを、前方へ付勢するトーションバネとを備え、挿入孔に挿入される相手コネクタにより、シャッターを後退位置へスライドさせ、複数のコンタクトの接触部を相手コネクタのコンタクトへ接触させるシャッター付きコネクタであって、
アースシェルは、前後方向と直交する幅方向のほぼ中央に、外方に向けて突設された係合部と、係合部の幅方向の両側に、前後方向を長手方向として穿設された一対のガイド溝とを有し、シャッターは、一対のガイド溝にそれぞれ挿通し、ガイド溝により進退方向に案内される一対のガイド耳片を有し、
中間部をアースシェルの係合部へ係合させたトーションバネの両端を、ガイド溝から外方に突出する一対のガイド耳片の連結孔に挿通して、シャッターを前方へ付勢するトーションバネをアースシェルの外方から取り付けるとともに、ガイド溝により前後方向に進退自在に案内されるシャッターを抜け止めすることを特徴とする。
【００２４】
請求項１の発明では、トーションバネの中間部をアースシェルの外側に突設された係合部に係合し、両端をガイド溝から突出するガイド耳片の連結孔へ挿通するだけで、シャッターを前方に付勢するトーションバネを、アースシェルの外側から簡単に組み付けることができる。
【００２５】
トーションバネの一端を連結孔に挿通させたガイド耳片は、ガイド溝の前端から抜け出ることがないので、シャッターの抜け止め手段を特に設けることなく、抜け止めされる。
【００２６】
１本のトーションバネの両端でシャッターを前方に付勢するので、幅方向の左右に一対のバネを配設したのと同様に、中心から偏った位置が押し込まれても、押し込み方向のトーションバネの一端が働き、確実にシャッターを前進位置まで、復帰させることができる。
【００２７】
また、ガイド耳片を挿通するトーションバネの一端がガイド溝の周囲に当接することによって、シャッターは、大きく傾斜することなく、円滑に進退移動する。
【００２８】
請求項２のシャッター付きコネクタは、ガイド溝の前端にガイド耳片が当接する位置で、シャッターが前進位置に位置決めされることを特徴とする。
【００２９】
ガイド溝の前端を、シャッターの前進位置の位置決めに用いるので、量産する際に、精度よくシャッターの前進位置を設定できる。
【００３０】
相手コネクタを挿抜させる都度、繰り返しシャッターがガイド溝の前端に衝突しても、金属疲労などでその位置が変化することがないので、シャッターの前進位置は変化せず、また、シャッターが抜け出ることもない。
【００３１】
請求項３のシャッター付きコネクタは、一対のガイド溝が、幅方向で対向するアースシェルの両側面上で、それぞれ後方が開放する形状に穿設され、ガイド溝の後方からガイド耳片を挿入させて、アースシェルにシャッターを組み込み自在であり、絶縁ハウジングは、アースシェルに組み込まれたシャッターの後方を覆い、アースシェルに後方から係止する係止部を有することを特徴とする。
【００３２】
アースシェルに組み込まれたシャッターの後方を覆った状態で、絶縁ハウジングを、アースシェルの後方から係止して一体化できるので、進退自在に案内されるシャッターを組み込んだ状態で、アースシェルと、シャッターと、絶縁ハウジングの三者は、組み立てられる。
【００３３】
請求項４のシャッター付きコネクタは、トーションバネが、中間部を中心として幅方向で対称形状となるように屈曲された線材であり、中間部から一対のガイド耳片の連結孔までの距離がほぼ等しい距離であることを特徴とする。
【００３４】
トーションバネは、中間部から幅方向で対称形状に形成され、また、トーションバネが作用するガイド耳片の連結孔までの距離も左右で等しいので、シャッターの一対のガイド耳片には、ほぼ等しいトーションバネによる弾力が作用する。従って、中心から偏った位置が押し込まれても、２カ所のガイド耳片の位置でトーションバネからの弾力を受け、確実にシャッターを前進位置まで、復帰させることができる。
【００３５】
【発明の実施の形態】
以下、本発明の一実施の形態に係るシャッター付きコネクタ１を、図１乃至図５を用いて説明する。図１は、コネクタ１全体の分解斜視図、図２は、コネクタ１の平面図、図３は、同正面図、図４は、同側面図、図５は、非接続状態におけるコネクタ１とコネクタ１に接続する相手コネタク５０を示す縦断面図である。尚、コネクタ１は、相手コネクタ５０が挿入される正面側を前方、背面側を後方、図２の平面図において、左側を左方、右側を右方、平面側を上方、底面側を下方として説明する。
【００３６】
この実施の形態のシャッター付きコネタク１は、雄コネクタである相手コネクタ５０と接続する雌コネクタであり、図１に示すように、絶縁ハウジング２、アースシェル３、シャッター４及びトーションバネ５を備えている。
【００３７】
絶縁ハウジング２は、相手コネクタ５０との接続部となる偏平板状のコンタクト配設部２１とコンタクト配設部２１を前方に向けて水平に支持する直方体状の支持部２２とを一体に有し、絶縁性樹脂により、側面が略Ｔ字形に形成されている。
【００３８】
コンタクト配設部２１の上下両面には、前後方向に凹溝状のコンタクト収容溝２３が、幅方向に所定のピッチで整列して複数形成されており、図５に示すように、この各コンタクト収容溝２３にコンタクト２７の接触部２７ａを収容させて、複数のコンタクト２７が支持部２２を貫通して取り付けられる。
【００３９】
本実施の形態に係るコネクタ１は、支持部２２の背面を、プリント配線基板（図示省略）に載置して実装されるものであり、支持部２２を貫通して後方に突出するコンタクト２７の脚部２７ｂは、支持部２２の背面に沿って折り曲げられ、対応部位に配設されるプリント配線基板のパターンに半田付けされるようになっている。
【００４０】
各コンタクト２７の脚部２７ｂが、対応部位のパターン上に位置決めされるように、プリント配線基板に形成された取付孔に嵌合するボス２４、２４が、支持部２２の背面の左右両側に突設されている。
【００４１】
アースシェル３は、相手コネクタ５０の筒状のアースコンタクト５２の外側から嵌合し電気接続するものであり、銅合金等の導電性金属板を打ち抜き、横長の角筒状に折り曲げ形成したものである。図１に示すように、アースコンタクト５２との接触をより確実にするため、アースシェル３の上下面から、４片の接触片３０が内方に向かって後方に傾斜するように、切り起こされている。
【００４２】
アースシェル３の上下の面には、更に、４片の係止片３７が、前方に向かって内方に傾斜するように切り起こされている。この係止片３７は、絶縁ハウジング２の支持部２２に形成された係止凹部２５に係止し、アースシェル３と絶縁ハウジング２の両者を固定するものであり、後述するように、シャッター４を収容したアースシェル３の後方から絶縁ハウジング２を組み付けることにより、係止片３７を係止凹部２５へ係止し、アースシェル３と、シャッター４と、絶縁ハウジング２とを組み立てるものである。
【００４３】
係止片３７と係止凹部２５との左右方向の位置決めは、絶縁ハウジング２をアースシェル３の後方から挿入する際に、アースシェル３の後端の両側に切り欠かれた位置決め凹部３４に、絶縁ハウジング２の支持部２２の両端からに突設した位置決め突起２６を嵌合させて行う。
【００４４】
アースシェル３の前端は、相手コネクタ５０が挿入される挿入孔３１の開口を形成し、開口の周囲が外側に折り曲げられることによって、相手コネクタ５０を円滑に挿入孔３１に挿入できるように案内している。
【００４５】
また、アースシェル３の上面３ａで、幅方向の略中心には、上方に切り起こした後、前方に折り曲げた係合フック３２と、係合フック３２の後方寄りで、後端の直方片を上面３ａの上方で水平になるように折り返した幅広の押え片３３とが、それぞれ形成されている。係合フック３２は、トーションバネ５の中間部５ａと係合し、中間部５ａの後方と上方への移動を規制する係合部として作用し、また、抑え片３３は、中間部５ａの後方で、蛇行するように折り曲げられたＵ字屈曲部５ｂが上方に移動しないように作用するものである。
【００４６】
アースシェル３の左右の側面３ｂ、３ｂには、シャッター４を前後方向に進退自在に案内するガイド溝３５、３５が形成されている。ガイド溝３５は、相手コネクタ５０の挿入方向、すなわちシャッター４の進退方向を長手方向とする切り欠きで、後方からシャッター４のガイド耳片４１が挿入できるように、側面３ｂ、３ｂに沿った後方が開放するように形成されている。
【００４７】
ガイド溝３５の形成は、アースシェル３の左右の両側面３ｂを形成する打ち抜き片を、金属板からプレス成形で打ち抜く際に、同時にその打ち抜き片の内方に長孔３６を穿設することによって行われる。すなわち、打抜きの際には、長孔３６は周囲が、側面３ｂを形成する打ち抜き片に囲まれた非開放状態となっている。その後、長孔３６が形成された打ち抜き片の後端部を、長孔３６とともに長手方向に沿ってコの字状に外側に折り返す。この折り返し加工によって、側面３ｂに沿った長孔３６の後方が開放状態となり、シャッター４のガイド耳片４１をガイド溝３５に挿入することが可能となる。
【００４８】
コの字状に折り返されることにより、後方に面する打ち抜き片の背面は、絶縁ハウジング２とアースシェル３を一体に組み立てた際に、支持部２２の背面と同一平面となるようにすれば、コンタクト２７の脚部２７ｂとともに、コネクタ１を実装するプリント配線基板のパターンに対向させ、そのパターンへ半田付けすることもできる。
【００４９】
これに対し、各側面３ｂ、３ｂの前方に形成された長孔３６は、折り返し加工が行われることがなく、そのままガイド溝３５となる。ガイド溝３５の前端３５ａは、前方に付勢されるシャッター４のガイド耳片４１が当接するストッパとなっており、これによりシャッター４の前方への抜け止めを行う。また、ガイド耳片４１がストッパ３５ａに当接したときに、シャッター４の全体は、最も前方寄りにスライドした前進位置にあり、前進位置で、シャッター４が挿入孔３１の開口の臨むように、ガイド溝３５の前端３５ａの位置が調整される。
【００５０】
シャッター４は、相手コネクタ５０の非接続時に、挿入孔３１の開口に臨む前進位置に待機し、コンタクト配設部２１上に配設したコンタクト２７の接触部２７ａを外方から遮断して保護するものであり、相手コネクタ５０の接続時には、後方の後退位置までスライドして、コンタクト２７の接触部２７ａを相手コネクタ５０へ臨ませるものである。この前進位置から後退位置へ後退する際に、コンタクト配設部２１を相対的に挿通させるように、シャッター４は、横長の筒状となるように絶縁性樹脂によって成形されている。
【００５１】
既述したガイド耳片４１は、シャッター４の左右方向の両側面４ａに一体に形成されている。シャッター４の両側面４ａ、４ａ間の幅は、アースシェル３の両側面３ｂ、３ｂ間の幅より僅かに狭く、アースシェル３内に遊嵌する大きさに形成され、ガイド耳片４１は、両側面４ａ、４ａから、アースシェル３のガイド溝３５を挿通する長さで側方に突設される。ガイド耳片４１の上下方向の厚さは、ガイド溝３５の幅より僅かに短い長さに形成され、これにより、シャッター４は、両側のガイド耳片４１、４１が、ガイド溝３５、３５に沿って摺動し、ガイド溝３５の長手方向、すなわち前後方向に進退自在に案内される。
【００５２】
ガイド耳片４１には、トーションバネ５の両端フック部５ｃを上方から挿通させて連結する連結孔４２が上下方向に穿設されている。ガイド耳片４１の上下にフック部５ｃが貫通することによって、ガイド耳片４１は、ガイド溝３５から内側に脱落することがなく、常にガイド溝３５を挿通する状態が保たれるので、中心から外れた位置が押し込まれても、シャッター４全体が左右方向に対して傾斜することがなく、摩擦力が増加しないので軽挿入力で進退移動を行うことができる。また、ストッパを構成するガイド溝３５の前端３５ａからガイド耳片４１が内側に脱落し、シャッター４が前方に抜け出るということもない。
【００５３】
トーションバネ５は、金属製線材で形成され、図１に示すように、左右に直線状に延びる中間部５ａのそれぞれ両側が後方に蛇行するように折り曲げられて中間部５ａ後方に一対のＵ字屈曲部５ｂ、５ｂが形成され、Ｕ字屈曲部５ｂの他側が左右方向の斜め前方に延びて、その延長部の先端が下方に折り曲げられたフック部５ｃとなっている。その結果、トーションバネ５の全体は、中間部５ｃの中心を通る前後方向の直線について、左右線対称形状となり、外力を加えない初期状態で、中間部５ａより両端のフック部５ｃ、５ｃが前方に位置するように形成されている。
【００５４】
これらの部品で構成されるシャッター付きコネタク１の組み立ては、始めに、ガイド耳片４１をガイド溝３５の後方から挿入することによって、シャッター４をアースシェル３内に組み込み、組み込んだ状態で、コンタクト配設部２１を筒状のシャッター４に挿入しながら、アースシェル３の後端の位置決め凹部３４に、絶縁ハウジング２の位置決め突起２６を嵌合させて、アースシェル３の後方から絶縁ハウジング２を挿入する。その結果、アースシェル３の係止片３７が、絶縁ハウジング２の係止凹部２５に係止し、シャッター４を前後方向に進退自在に収容した状態で、アースシェル３に絶縁ハウジング２が一体に取り付けられる。
【００５５】
その後、トーションバネ５を、図２に示すように、アースシェル３の外側から取り付ける。すなわち、中間部５ａの略中央部分を、アースシェル３の上面３ａに形成した係合フック３２に係合するとともに、Ｕ字屈曲部５ｂ、５ｂを押え片３３と上面３ａの間に配置し、両端のフック部５ｃ、５ｃを、ガイド耳片４１の連結孔４２に上方から挿通させて取り付ける。
【００５６】
中間部５ａを係合フック３２に係合して後方への移動が規制されたトーションバネ５は、両端のフック部５ｃ、５ｃをガイド耳片４１の連結孔４２へ挿通させることにより、プレストレスが加えられ、ガイド耳片４１を前方へ付勢するように作用する。また、押え片３３は、トーションバネ５の中間部５ａを中心とする上方への回転を規制し、フック部５ｃ、５ｃが連結孔４２から抜け出るのを防いでいる。
【００５７】
ここでは、図に示すように、更に確実にフック部５ｃが抜けでないように、連結孔４２を挿通したフック部５ｃの先端を前方へ折り曲げている。
【００５８】
上述の組み立て工程では、トーションバネ５の取り付けをアースシェル３や絶縁ハウジング２の内方で行ったり、トーションバネ５を圧縮した状態でシャッター４を取り付けたり、抜け止めの加工等を行うことがないので、極めて容易に組み立てることができる。
【００５９】
相手コネクタ５０との接続を待機しているシャッター付きコネクタ１の非接続状態では、トーションバネ５により前方に付勢されるガイド耳片４１がストッパ３５ａに当接し、シャッター４は、挿入孔３１の開口に臨む前進位置にあるので、コンタクト配設部２１上に配設されたコンタクト２７の接触部２７ａは、シャッター４により外部と遮断され、異物の接触などから保護される。
【００６０】
また、相手コネクタ５０を、アースシェル３の挿入孔３１に挿入すると、シャッター４は、相手コネクタ５０により押圧されて後退位置まで後退し、これにより露出するコンタクト２７の接触部２７ａが相手コネクタ５０の信号コンタクト５３と接触し、コネタク１と相手コネクタ５０間が相互に電気接続する。
【００６１】
シャッター４が後退位置にあるときに、トーションバネ５は、図２の破線で示すように撓み、相手コネクタ５０を挿入孔３１から前方に引き抜くと、トーションバネ５の両端で、左右のガイド耳片４１をほぼ等しい復帰力で前方へ付勢し、シャッター４は、ガイド耳片４１がストッパ３５ａに当接する前進位置まで復帰する。
【００６２】
シャッター４が復帰する際には、１本のトーションバネ５の両端から、シャッター４両端のガイド耳片４１にほぼ等しい復帰力が加わり、ガイド耳片４１がガイド溝３５に沿って摺動し後退するので、シャッター４が傾斜することによる余分な摩擦が発生せず、確実にシャッター４を復帰させることができる。すなわち、その左右にほぼ等しい弾力を有するスプリングを配置しなくても、１本のトーションバネ５で、シャッター４に偏った位置と方向に復帰力が働かないようにすることができ、コネタク１の幅方向を小型化することができるとともに、部品点数が減少し、コネクタ１全体の軽量化も可能となる。
【００６３】
シャッター４の前進位置は、打ち抜いたガイド溝３５の前端のストッパ３５ａにガイド耳片４１が当接する位置を前進位置として位置決めしているので、折り曲げ加工などで形成したストッパに比べて、精度よくその位置を設定でき、また、ガイド耳片４１が繰り返し当接してもその位置が変化することがない。
【００６４】
さらに、この実施の形態では、アースシェル３の両側面３ｂ、３ｂを形成する平坦状の打ち抜き片の段階で、非開放状の長孔３６を穿設しガイド溝３５を形成しているため、ガイド溝３５の後方を開放しつつ、立体的には、ガイド溝３５の周囲が完全に囲まれ、側面３ｂ全体を所定の強度に保つことができる。この為、ガイド溝３５の幅が変化して、ガイド耳片４１が摺動しなくなったり、側面３ｂの後方がめくれ上がるなど変形することがない。
【００６５】
更に、コネクタ１を、プリント配線基板へ実装する際には、両側面３ｂ、３ｂの後端で、外側にコの字状に折り返した部位を、プリント配線基板のグランドパターンなどに半田付けすることができ、アースシェル３に半田付けのための脚部を別に形成する必要がない。
【００６６】
半田付けする折り返し部位は、コの字状となっているので、プリント配線基板から起立する折り返し部位にも半田がもられ、部分的に半田付け強度が増すばかりか、コネクタ１の幅方向両側の位置で半田付けするので、プリント配線基板への実装強度も向上する。
【００６７】
しかしながら、本発明は以上の実施の形態に限定されることなく、ガイド溝３５を非開放状の長孔３６に基づいて形成することなく、後方を開放する切り欠きに打ち抜いて形成してもよい。
【００６８】
また、ガイド溝３５前端のストッパ３５ａに当接する位置を、シャッター４の前進位置としているが、前進位置とする位置決めは、前縁ハウジングに位置決め突起などを設け、他の方法で行ってもよい。
【００６９】
また、トーションバネ５は、その両端でガイド耳片４１を前方へ付勢するものであれば、種々の形状とすることができ、アースシェル３への取り付け方法も上述の実施の形態の限りではない。例えば、トーションバネ５の中間部５ａをアースシェル３側から突出させた係合突起に巻き付け、両端を左右へ延ばし、ガイド耳片４１へ連結させてもよい。
【００７０】
更に、一対のガイド溝３５は、必ずしもアースシェル３の両側面３ｂに穿設する必要はなく、係合部３２の幅方向の両側であれば、上面３ａに穿設するものであってもよい。
【００７１】
【発明の効果】
請求項１の発明によれば、トーションバネを、アースシェルの外側から取り付けるだけで、簡単に組み付けることができる。アースシェル内にシャッターの復帰手段を設けないので、全体が小型化でき、また、コイルスプリングなど大きなスペースを占有しないトーションバネを用いるので、アースシェルの外側に配置しても、シャッター付きコネクタ１のプリント配線基板への実装、機器への取り付けなどの障害とならない。
【００７２】
更に、ガイド耳片をガイド溝に挿入してシャッターをアースシェルに組み入れ、トーションバネの両端をガイド耳片の連結孔に挿通させるだけで、進退自在のシャッターを組み込むことができるため、組み立て工程が簡単化される。
【００７３】
更に、ガイド溝から突出するガイド耳片の連結孔に、トーションバネの一端を挿通させるので、ガイド耳片は、ガイド溝から抜け出ることなく案内され、シャッターの抜け止め手段を別に設けることなく、抜け止めを行うことができる。このため、爪等を切り起こしたストッパを、シャッターを組み込んだ後に折り曲げ加工などで形成する必要がなく、加工工程がなくなるとともに、組み立て工程も簡略化される。
【００７４】
請求項２の発明によれば、請求項１の発明の効果を有するのに加えて、ガイド溝の前端を、シャッターの前進位置の位置決めに用いるので、金属板を折り曲げて形成するストッパ段部と異なり、相手コネクタの挿抜を繰り返しても、ストッパの位置が変化することがない。
【００７５】
請求項３の発明によれば、これらの発明に加えて、ガイド耳片をガイド溝に挿入させて、アースシェルの後方からシャッターを組み込み、その後に、アースシェルの後方から絶縁ハウジングを係止させるだけで、アースシェルと、ガイド溝により進退方向に案内されるシャッターと、絶縁ハウジングの三者を簡単に組み立てることができる。
【００７６】
また、シャッターと絶縁ハウジングは、アースシェルに対して同方向の後方から取り付けることができるので、組み立ての自動化が容易となる。
【００７７】
請求項４の発明によれば、これらの発明の効果に加えて、トーションバネがシャッターの左右両側を均等に付勢するため、シャッターが円滑に移動するとともに、均等に付勢する手段として１本のトーションバネを用いるだけであり、トーションバネの配置スペースが小さくなり、コネクタを小型化することができる。
【００７８】
【図面の簡単な説明】
【図１】本発明の一実施の形態に係るシャッター付きコネクタ１の分解斜視図である。
【図２】シャッター付きコネクタ１の平面図である。
【図３】同正面図である。
【図４】同側面図である。
【図５】非接続状態におけるシャッター付きコネクタ１と、このコネクタ１に接続する相手コネタク５０を示す縦断面図である。
【図６】第１の従来のコネクタ１００の平面図である。
【図７】第１の従来のコネクタ１００の縦断面図である。
【図８】図６の要部拡大断面図である。
【図９】第２の従来のコネクタ２００の平面図である。
【図１０】第２の従来のコネクタ２００の部分斜視図である。
【符号の説明】
１      シャッター付きコネクタ
２      絶縁ハウジング
２１    コンタクト配設部（接続部）
２５    係止凹部（係止部）
２７    コンタクト
２７ａ  接触部
３      アースシェル
３ｂ    側面
３１    挿入孔
３２    係合フック（係合部）
３５    ガイド溝
３５ａ  ストッパ
４      シャッター
４１    ガイド耳片
４２    連通孔
５      トーションバネ
５ａ    中間部
５ｃ    フック部（両端）
５０    相手コネクタ
【図１】
0003722759.tif 000002
【図２】
0003722759.tif 000003
【図３】
0003722759.tif 000004
【図４】
0003722759.tif 000005
【図５】
0003722759.tif 000006
【図６】
0003722759.tif 000007
【図７】
0003722759.tif 000008
【図８】
0003722759.tif 000009
【図９】
0003722759.tif 000010
【図１０】
0003722759.tif 000011